(57)【特許請求の範囲】
【請求項１】
芯のないロールペーパー又は、芯を外したロールペーパーを内側と外側の２箇所から、ペーパーを取り出し使用できるように、抵抗を少なくスムーズに複数形成された取り出し口から同時又は別々に取り出し使用できる  円柱形差し棒が垂直に立設された内側の差し棒台と該内側の差し棒台の差し棒に差し込まれる円柱形差し棒が垂直に立設された回転可能、上下移動可能の外側の差し棒台とから構成される二重差し棒台を内部に備えたことを特徴とする。
【請求項２】
ペーパーホルダーの取り出し口を上部と側面を特徴とする請求項１に記載のペーパーホルダー。
【請求項３】
取り出し使用する場合、上部口からの取り出しの際に、ペーパーと垂直に立設された外側の円柱形差し棒台が、ペーパーのよじれにより一緒に引きだされ、それにより起こりうる取り出し口の詰りを防止し又、側面口からの取り出し使用するときの抵抗を少なく、ペーパーの倒れを防ぎ、回転を容易にするため垂直に立設された円柱形の内側の差し棒及び該差し棒の上部にリングを取りつけた差し棒を差し棒の台に取りつけ、垂直に立設された円柱形の外側の差し棒及び該差し棒の下部にリングを取りつけた差し棒を差し棒の台に取りつけ、垂直に立設された円柱形の二重差し棒台を備えたことを特徴とする請求項１に記載のペーパーホルダー。
【発明の詳細な説明】
【技術分野】
【０００１】
本発明は、ロールペーパーの使用に関するペーパーホルダーである。
【背景技術】
【０００２】
従来のペーパーホルダーは、一箇所の取り出し口から一枚ずつ切り折りたたまれたペーパーを入れたホルダーであり又、ロールペーパーについては単に内側から引き出して使用するものがある。
【発明の開示】
【発明が解決しようとする課題】
【０００３】
複数の人が同時若しくは別々に取り出し使用できないかという課題がありました。
【課題を解決するための手段】
【０００４】
芯のないロールペーパー又は、芯を外したロールペーパーを内側と外側の２箇所から、ペーパーを取り出し使用できるように抵抗を少なくスムーズに複数形成された取り出し口から同時又は別々に取り出し使用できる円柱形差し棒が垂直に立設された内側の差し棒台と該内側の差し棒台の差し棒に差し込まれる円柱形差し棒が垂直に立設された回転可能、上下移動可能の外側の差し棒台とから構成される二重差し棒台を内部に備えたことを特徴とする。
【０００５】
ペーパーホルダーの取り出し口を上部と側面を特徴とする。
【０００６】
取り出し使用する場合、上部口からの取り出しの際にペーパーと垂直に立設された外側の円柱形差し棒台がペーパーのよじれにより一緒に引きだされ、それによって起こりうる取り出し口の詰りを防止し又、側面口からの取り出し使用するときの抵抗を少なく、ペーパーの倒れを防ぎ、回転を容易にするため垂直に立設された円柱形内側の差し棒及び該差し棒の上部にリングを取りつけた差し棒を差し棒の台に取りつけ、垂直に立設された円柱形の外側の差し棒及び該差し棒の下部にリングを取りつけた差し棒を差し棒の台に取りつけ、垂直に立設された円柱形の二重差し棒台を備えたことを特徴とする。
【発明の効果】
【０００７】
本発明は、ロールペーパーを入れたペーパーホルダーを、どこの場所でも複数の取り出し口から使用するだけの量又は複数の人が同時又は別々に取り出し使用できる。
【発明を実施するための最良の形態】
【０００８】
このペーパーホルダーは図２２で示すように芯なしロールペーパー芯を外したロールペーパーの端１２．１３を取り出しロールペーパーを図１１で示す円柱形の二重差し棒台に差し入れ図１７で示す状態にして、図１で示すように安定性のある家の形を用いて図１８で示す１の上部口の煙突から又、２の側面口ドアーから複数の人が同時又は別々に取り出し使用できることを特徴とする。
【０００９】
ペーパーの取り出しがスムーズに作動するように円柱形の固定した図８で示す内側の円柱形差し棒台と、円柱形の自由に動く図１０で示す外側の内柱形差し棒台を組み合わせた図１１で示す円柱形の二重差し棒台を設けたことを特徴とする。
なお、図１１で示す円柱形の二重差し棒台は図８で示す５，図１０で示す８の円柱形差し棒、図８で示す７図１０で示す１０の台、図２７図８で示す６，図２４図１０で示す９のリングから構成される。
【００１０】
使用中に図１８で示すように１の上部口からのペーパー取り出しの際に図１０で示す外側の円柱形差し棒台がペーパーのよじれによりペーパーと一緒に引き出され図８で示す垂直に立設された内側の差し棒台からはずれそれにより起こりうる上部口１のペーパーのつまりを防止し、図１３に示すように円柱形二重差し棒台の図１０で示す。
垂直に立設された外側の円柱形の差し棒台の使用中の上下の動きをスムーズにし又、図１８で示すように２の側面口からの取り出しの際ペーパーの倒れ及び抵抗を少な安定して回転を良くする為図１３で示すように図７で示す内側の差し棒の台７に取りつけた円柱形差し棒５に図２７で示すリング６を、図１０で示す外側の差し棒の台１０に取りつけた円柱形差し棒８に図２４で示すリング９を取りつけることにより安心して使用できる。
【００１１】
発明の実施形態２として、図１９図２０図２１で示すように図１４で示すペーパーホル
ダーを複数組み合わせることにより多数の人が同時使用できる。
なお、図１で示すペーパー交換扉４に図１８で示すロールペーパーの端１３を納める場所、取って３を取りつけた。
【００１２】
ペーパーホルダーの材料は、プラスチック、厚紙等でもよい
又ペーパーホルダーの形状は円柱形でもよい。
【図面の簡単な説明】
【００１３】
【図１】本発明の実施形態１を示すペーパーホルダーの正面図。
【図２】同ペーパーホルダーの右側面図。
【図３】同ペーパーホルダーの左側面図。
【図４】同ペーパーホルダーの平面図。
【図５】同ペーパーホルダーの斜視図
【図６】ペーパーホルダーの図１におけるＡ−Ａ'線断面図
【図７】本発明の実施形態１を示す二重差し棒台の内側円柱形差し棒台の正面図
【図８】本発明の実施形態１を示す二重差し棒台の内側の円柱形差し棒台の斜視図
【図９】本発明の実施形態１を示す二重差し棒台の外側の円柱形差し棒台の正面図
【図１０】本発明の実施形態１を示す二重差し棒台の外側の円柱形差し棒台の斜視図
【図１１】内側、外側の円柱形差し棒台を組合わせた斜視図
【図１２】内側、外側の円柱形差し棒台を組合わせた正面図
【図１３】内側、外側の円柱形差し棒台を組合わせた図１２におけるＢ−Ｂ'線断面図
【図１４】本発明の実施形態１を示すペーパーホルダーの図６の断面図円柱形二重差し棒台の図１３の断面図を組合わせた断面図
【図１５】本発明の実施形態１を示すペーパーを円柱形二重差し棒台に入れた斜視図
【図１６】本発明の実施形態１を示す使用時におけるロールペーパーをセットしたペーパーホルダーの斜視図
【図１７】本発明の実施形態１を示すロールペーパーを二重差し棒台にセットした使用状態１を示す斜視図
【図１８】本発明の実施形態１を示すペーパーホルダーにロールペーパーをセットして使用する状態のペーパーホルダーの斜視図
【図１９】本発明の実施形態２を示す例として組合わせたペーパーホルダーの正面図
【図２０】本発明の実施形態２を示すペーパーホルダーの図１９におけるＣ−Ｃ'線断面図
【図２１】本発明の実施形態２を示す組合わされたペーパーホルダーの使用状態の斜視図
【図２２】本発明の実施形態を示す芯なしロールペーパー、芯を外したロールペーパーの内側、外側のペーパーの端を取り出した使用状態の斜視図
【図２３】本発明の実施形態を示す外側差し棒に取りつけるリングの正面図
【図２４】本発明の実施形態を示す外側差し棒に取りつけるリングの平面図
【図２５】本発明の実施形態を示すリングの図２３のＤ−Ｄ'線断面図
【図２６】同内側差し棒に取りつけるリングの正面図
【図２７】同内側差し棒に取りつけるリングの平面図
【図２８】同リングの図２６のＥ−Ｅ'線断面図
【符号の説明】
【００１４】
１    上部ペーパー引出口
２    側面ペーパー引出口
３    ペーパー交換扉の取っ手及びペーパー切れ端の収納する所
４    ペーパー交換扉
５    内側差し棒
６    同のリング
７    同台
８    外側差し棒
９    同のリング
10    同台
11    使用ロールペーパー
12    使用時の内側ロールペーパーの端
13    同      外側ロールペーパーの端
【図１】
0004714946.tif 000002
【図２】
0004714946.tif 000003
【図３】
0004714946.tif 000004
【図４】
0004714946.tif 000005
【図５】
0004714946.tif 000006
【図６】
0004714946.tif 000007
【図７】
0004714946.tif 000008
【図８】
0004714946.tif 000009
【図９】
0004714946.tif 000010
【図１０】
0004714946.tif 000011
【図１１】
0004714946.tif 000012
【図１２】
0004714946.tif 000013
【図１３】
0004714946.tif 000014
【図１４】
0004714946.tif 000015
【図１５】
0004714946.tif 000016
【図１６】
0004714946.tif 000017
【図１７】
0004714946.tif 000018
【図１８】
0004714946.tif 000019
【図１９】
0004714946.tif 000020
【図２０】
0004714946.tif 000021
【図２１】
0004714946.tif 000022
【図２２】
0004714946.tif 000023
【図２３】
0004714946.tif 000024
【図２４】
0004714946.tif 000025
【図２５】
0004714946.tif 000026
【図２６】
0004714946.tif 000027
【図２７】
0004714946.tif 000028
【図２８】
0004714946.tif 000029